(57)【要約】  アダプターは、カメラボディを着脱可能な第１マウント部と、第１マウント部とは別に設けられており、交換レンズを着脱可能な第２マウント部と、第１マウント部に装着されたカメラボディとの間で通信可能なアダプター制御部と、交換レンズに関する情報を、交換レンズを介さずに入力可能な入力部と、を備え、アダプター制御部は、入力部から入力された交換レンズに関する情報に基づいて、カメラボディに対して送信するボディ送信用レンズ情報を準備することを特徴とする。
2013042736.tif 000002
【特許請求の範囲】
【請求項１】
カメラボディを着脱可能な第１マウント部と、
前記第１マウント部とは別に設けられており、交換レンズを着脱可能な第２マウント部と、
前記第１マウント部に装着された前記カメラボディとの間で通信可能なアダプター制御部と、
前記交換レンズに関する情報を、前記交換レンズを介さずに入力可能な入力部と、を備え、
前記アダプター制御部は、
前記入力部から入力された前記交換レンズに関する情報に基づいて、前記カメラボディに対して送信するボディ送信用レンズ情報を準備することを特徴とするアダプター。
【請求項２】
請求項１に記載のアダプターであって、
前記アダプター制御部は、
前記第２マウント部に装着されている前記交換レンズのレンズ情報として前記カメラボディから要求された前記ボディ送信用レンズ情報を、前記入力部から入力された前記交換レンズの仕様に関する情報に基づいて生成し、
前記生成したボディ送信用レンズ情報を前記カメラボディに対して送信することを特徴とするアダプター。
【請求項３】
請求項１に記載のアダプターであって、
前記アダプター制御部は、
前記ボディ送信用レンズ情報を、前記入力部から入力された前記交換レンズに関する情報に基づく所定の推定演算を行って準備することを特徴とするアダプター。
【請求項４】
請求項１〜３の何れか一項に記載のアダプターであって、
前記アダプター制御部は、
前記第２マウント部に装着されている前記交換レンズからレンズ情報を取得せずに、前記ボディ送信用レンズ情報を、前記入力部から入力された前記交換レンズの仕様に関する情報に基づいて生成することを特徴とするアダプター。
【請求項５】
請求項１に記載のアダプターであって、
前記アダプター制御部は、
前記ボディ送信用レンズ情報を、前記アダプターが備えている記憶部に記憶されている予め定められたレンズ情報と、前記入力部から入力された前記交換レンズに関する情報とに基づいて準備することを特徴とするアダプター。
【請求項６】
請求項１〜３、５の何れか一項に記載のアダプターであって、
前記交換レンズに関する情報には、前記交換レンズが備える光学系の種類を示す情報が含まれており、
前記アダプター制御部は、
前記入力部から入力された前記光学系の種類を示す情報に基づいて、前記ボディ送信用レンズ情報を準備することを特徴とするアダプター。
【請求項７】
請求項６に記載のアダプターであって、
前記光学系の種類を示す情報には、前記光学系の光学特性を示す情報、および前記光学系の機能を示す情報のうちのいずれかが含まれていることを特徴とするアダプター。
【請求項８】
請求項７に記載のアダプターであって、
前記光学系の種類を示す情報には、前記光学系の焦点距離を示す情報および開放Ｆ値を示す情報のうちのいずれかが含まれていることを特徴とするアダプター。
【請求項９】
請求項１〜３、５の何れか一項に記載のアダプターであって、
前記入力部は、
操作者の操作に応じて前記交換レンズに関する情報を入力可能な操作部、を備えていることを特徴とするアダプター。
【請求項１０】
請求項１から請求項９のいずれか１項に記載のアダプターと、
前記第１マウント部に装着された前記カメラボディと、
前記第２マウント部に装着された前記交換レンズと、
を備えることを特徴とするカメラシステム。
【請求項１１】
カメラボディを着脱可能な第１マウント部と、前記第１マウント部とは別に設けられており、交換レンズを着脱可能な第２マウント部と、を備えたアダプターに設けられているアダプター制御部の動作を制御するアダプター制御プログラムであって、
入力部から入力された前記交換レンズに関する情報に基づいて、前記カメラボディに対して送信するボディ送信用レンズ情報を準備するステップと、
前記準備した前記ボディ送信用レンズ情報を前記カメラボディに対して送信するステップと、
をコンピュータに実行させるためのアダプター制御プログラム。
【発明の詳細な説明】
【技術分野】
【０００１】
本発明は、アダプター、カメラシステム、およびアダプター制御プログラムに関する。
本願は、２０１１年０９月２０日に出願された日本国特願２０１１−２０４６２９号に基づき優先権を主張し、その内容をここに援用する。
【背景技術】
【０００２】
カメラボディとカメラボディに着脱可能な交換レンズとを備えるレンズ交換式のカメラシステムがある（例えば、特許文献１参照）。
このレンズ交換式のカメラシステムにおいては、カメラボディに装着される交換レンズを変更することにより、様々な種類の光学系を介しての撮像が可能である。
【先行技術文献】
【特許文献】
【０００３】
【特許文献１】日本国特開２００８−２７５８９０号公報
【発明の概要】
【発明が解決しようとする課題】
【０００４】
近年、デジタル方式のカメラシステムにおいては、従来よりもカメラボディのサイズが小型化された新しいレンズ交換式のカメラシステムが開発されている。
しかしながら、この新しいレンズ交換式のカメラシステムのカメラボディには、既存のカメラシステムの交換レンズを装着させて機能させることができない場合がある。
ところで、既存の交換レンズは、一般に広く普及している。そのため、新しいレンズ交換式のカメラシステムにおいて、様々な種類の光学系を介しての撮像を可能にするためには、既存の交換レンズも装着させてカメラシステム上機能させることができるようになることが望まれている。
なお、交換レンズをカメラシステム上機能させる、とは、交換レンズの持つレンズ固有の情報を用いて、カメラ側で行う制御を機能させることを含むものである。【０００５】
本発明の態様の目的は、レンズ交換式のカメラシステムにおいて、様々な種類の光学系をカメラシステム上適切に機能させることができるアダプター、カメラシステム、およびアダプター制御プログラムを提供することにある。
【課題を解決するための手段】
【０００６】
本発明の態様は、カメラボディを着脱可能な第１マウント部と、前記第１マウント部とは別に設けられており、交換レンズを着脱可能な第２マウント部と、前記第１マウント部に装着された前記カメラボディとの間で通信可能なアダプター制御部と、前記交換レンズに関する情報を、前記交換レンズを介さずに入力可能な入力部と、を備え、前記アダプター制御部は、前記入力部から入力された前記交換レンズに関する情報に基づいて、前記カメラボディに対して送信するボディ送信用レンズ情報を準備することを特徴とするアダプターである。【０００７】
また、本発明の態様は、上記記載のアダプターと、前記第１マウント部に装着された前記カメラボディと、前記第２マウント部に装着された前記交換レンズと、を備えることを特徴とするカメラシステムである。【０００８】
また、本発明の態様は、カメラボディを着脱可能な第１マウント部と、前記第１マウント部とは別に設けられており、交換レンズを着脱可能な第２マウント部と、を備えたアダプターに設けられているアダプター制御部の動作を制御するアダプター制御プログラムであって、入力部から入力された前記交換レンズに関する情報に基づいて、前記カメラボディに対して送信するボディ送信用レンズ情報を準備するステップと、前記準備した前記ボディ送信用レンズ情報を前記カメラボディに対して送信するステップと、をコンピュータに実行させるためのアダプター制御プログラムである。
【発明の効果】
【０００９】
本発明の態様によれば、レンズ交換式のカメラシステムにおいて、様々な種類の光学系を、カメラシステム上で適切に機能させることができる。
【図面の簡単な説明】
【００１０】
【図１】本発明の一実施形態によるカメラシステムの構成を示す斜視図である。
【図２】本実施形態によるアダプターの構成の一例を示す斜視図である。
【図３】本実施形態によるカメラシステムの構成の第１の例を示す概略ブロック図である。
【図４】本実施形態による交換レンズに係る処理の状態遷移の概要を示すフローチャートである。
【図５】レンズ定常処理におけるコマンドデータ通信の通信シーケンスの一例を示す図である。
【図６】本実施形態によるアダプターが生成するレンズ情報の一例を示す図である。
【図７】本実施形態におけるアダプターによる送信データの生成処理の一例を示すフローチャートである。
【図８】本実施形態によるカメラシステムの構成の第２の例を示す概略ブロック図である。
【発明を実施するための形態】
【００１１】
以下、図面を参照して、本発明の実施形態について説明する。
［第１実施形態］
図１は、本発明の一実施形態によるカメラシステム１の構成を示す斜視図である。
図１に示すカメラシステム１は、レンズ交換式のカメラシステムである。カメラシステム１は、カメラボディ１００と、交換レンズ２００と、カメラボディ１００と交換レンズ２００との間に設けられ、カメラボディ１００と交換レンズ２００とに対してそれぞれ着脱可能に固定されるアダプター３００と、を備えている。
【００１２】
本実施形態では、交換レンズ２００が、カメラボディ１００またはアダプター３００と通信可能なレンズ制御部を備えていない交換レンズである場合の一例について、説明する。なお、本実施形態の説明では、カメラボディ１００またはアダプター３００と通信可能なレンズ制御部を備えていない交換レンズのことを「非ＣＰＵレンズ」と称し、カメラボディ１００またはアダプター３００と通信可能なレンズ制御部を備えている交換レンズのことを「ＣＰＵレンズ」と称して、以下説明する。
【００１３】
図１において、アダプター３００は、カメラボディ１００に装着されている。また、交換レンズ２００は、アダプター３００を介してカメラボディ１００に装着されている。
【００１４】
このカメラシステム１において、カメラボディ１００が備えているレンズマウントであるカメラボディ側マウント１０１の仕様と、交換レンズ２００が備えているレンズマウントであるレンズ側マウント２０１の仕様とは、互いに異なる仕様である。例えば、カメラボディ側マウント１０１の仕様とレンズ側マウント２０１の仕様とでは、マウント形状の仕様、および電気的に接続される接続端子の仕様が互いに異なる。また、この接続端子を介して通信される通信規格や通信データの種類等も互いに異なる。そのため、交換レンズ２００をカメラボディ１００に直接装着することはできない。
【００１５】
そこで、アダプター３００は、カメラボディ１００と交換レンズ２００とを間接的に装着可能にするマウントアダプターとして構成されている。さらに、アダプター３００は、互いに異なる通信規格や通信データの種類を持つカメラボディ１００と交換レンズ２００との間で、それら通信規格等を変更すること無く、両者間の通信を可能とするように構成されている。
【００１６】
また、カメラボディ１００は、電源釦１３１と、レリーズ釦１３２と、背面操作部１３３と、表示部１５０と、を備えている。
【００１７】
電源釦１３１は、カメラボディ１００における主電源のオンとオフとを切替えるための操作部材である。
【００１８】
レリーズ釦１３２は、撮影処理開始の指示を受け付ける操作部材である。例えば、レリーズ釦１３２は、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
【００１９】
背面操作部１３３は、カメラボディ１００の筐体面のうち、カメラボディ側マウント１０１を備えている面の反対面である背面に設けられている。背面操作部１３３は、例えば、動作モードの選択釦（例えば、モードダイヤル）、または、各種設定条件の選択釦（例えば、メニュー釦や上下左右選択釦）等の操作部材を含んで構成されている。
【００２０】
表示部１５０は、背面操作部１３３と同様に背面に設けられており、撮影された画像、または、各種設定条件を選択させるメニュー画面等を表示する。表示部１５０は、例えば、液晶ディスプレイ、または有機ＥＬ（Electro-Luminescence）ディスプレイ等を含んで構成されている。
【００２１】
図２は、本実施形態によるアダプター３００の構成の一例を示す斜視図である。
アダプター３００は、カメラボディ１００を着脱可能な第１マウント部と、第１マウント部とは別に設けられており、交換レンズ２００を着脱可能な第２マウント部と、を備えている。
【００２２】
例えば、図２に示すように、アダプター３００は、カメラボディ１００が備えているカメラボディ側マウント１０１に着脱可能な第１マウント３０１（第１マウント部）と、交換レンズ２００が備えているレンズ側マウント２０１に着脱可能な第２マウント３０２（第２マウント部）と、を備えている。
【００２３】
なお、第１マウント３０１の近傍には、カメラボディ側マウント１０１の近傍に設けられている複数の電気的な接続端子のそれぞれに対応する、複数の電気的な接続端子（マウント接点）が設けられている。そのため、アダプター３００は、カメラボディ１００に装着されると、これら複数の接続端子を介して、カメラボディ１００と電気的に接続される。
また、第２マウント３０２の近傍には、複数の電気的な接続端子が設けられている。
【００２４】
また、アダプター３００は、アダプター３００を三脚に取り付け可能とするための三脚座３０５と、レンズ着脱釦３０６と、絞り連動レバー３５０と、入力部３６０と、を備えている。
【００２５】
レンズ着脱釦３０６は、交換レンズ２００が装着されることに応じて機械的にロックされるロック機構のロックを解除するための釦である。つまり、レンズ着脱釦３０６は、ユーザが、アダプター３００に装着されている交換レンズ２００を取り外す際に操作する操作部材である。
【００２６】
入力部３６０は、交換レンズ２００に関する情報（例えば、後述するような交換レンズの仕様に関する情報）を入力可能な情報入力手段である。また、入力部３６０は、例えば、操作部３６１、および表示部３６２を備えている。
入力部３６０の構成については後で詳細に説明する。
【００２７】
絞り連動レバー３５０（絞り連動機構部）は、カメラボディ１００から交換レンズ２００の絞り開口径を変更可能な場合に、交換レンズ２００の絞りによる絞り開口径（絞りによる絞り込み量、開口サイズ、開口率、絞り値）を変化させる複数の絞り羽根を含む絞り機構を変位させるためのレバーとしてアダプター３００に備えられている。絞り連動レバー３５０の位置が、アダプター３００の内周に沿った方向に移動することで、交換レンズ２００の絞りの開口径が変化するよう構成されている。
すなわち、絞り連動レバー３５０は、交換レンズ２００が備えている絞り機構２５１（絞り）の絞り値に応じた位置に移動する。
【００２８】
＜カメラシステムのブロック構成の説明＞
次に、図３を参照して、カメラシステム１のブロック構成について説明する。
図３は、本実施形態によるカメラシステム１の構成の一例を示す概略ブロック図である。この図において、カメラボディ１００と交換レンズ２００とは、アダプター３００を介して装着されている。また、カメラボディ１００、およびアダプター３００がそれぞれ備える接続端子を介して、互いに電気的に接続されている。
【００２９】
まず、カメラシステム１の構成の概略を説明する。
カメラボディ１００は、接続部１０１ｓを含むカメラボディ側マウント１０１を備えている。アダプター３００は、接続部３０１ｓを含む第１マウント３０１と、接続部３０２ｓを含む第２マウント３０２と、を備えている。
【００３０】
カメラボディ１００とアダプター３００とは、カメラボディ側マウント１０１および第１マウント３０１を介して装着（物理的に接続）されており、また接続部１０１ｓおよび接続部３０１ｓを介して電気的に接続されている。接続部１０１ｓと接続部３０１ｓはそれぞれ、互いに電気的に接続される８個の接続端子（端子Ｔａ１〜Ｔａ８と、端子Ｔｂ１〜Ｔｂ８）を備えており、この接続端子を介してカメラボディ１００とアダプター３００との間で給電（電圧の供給）および信号の授受（通信）が行われる。
なお、信号の授受（通信）は、カメラボディ１００が備えているカメラ制御部１１０とアダプター３００が備えているアダプター制御部３１０との間で行われる。
【００３１】
また、交換レンズ２００とアダプター３００とは、レンズ側マウント２０１および第２マウント３０２を介して装着（物理的に接続）されている。接続部３０２ｓは、電気的に接続される７個の接続端子（端子Ｔｃ１〜Ｔｃ７）を備えており、交換レンズ２００がＣＰＵレンズの場合には、この接続端子を介してＣＰＵレンズとアダプター３００との間で給電（電圧の供給）および信号の授受（通信）が行われる。
【００３２】
（カメラボディの構成）
次に、カメラボディ１００の構成について説明する。
カメラボディ１００は、カメラ制御部１１０と、カメラ電源部１２０と、スイッチ１２５と、バッテリー部１９０Ｂと、接続部１０１ｓ（端子Ｔａ１〜Ｔａ８）とを備えている。
【００３３】
接続部１０１ｓは、アダプター３００が備えている接続部３０１ｓの８個の接続端子（端子Ｔｂ１〜Ｔｂ８）と互いに接続される接続端子として、端子Ｔａ１〜Ｔａ８の８個の接続端子を備えている。
なお、アダプター３００の構成については後で詳細に説明する。
【００３４】
バッテリー部１９０Ｂは、バッテリー１９０を収納する。
バッテリー１９０からの電圧（または電流）は、カメラ制御部１１０を含むカメラボディ１００内の電気回路、アダプター制御部３１０を含むアダプター３００内の電気回路に供給される。またバッテリー１９０からの電圧（電流）は、アダプター３００に装着されている交換レンズが電圧（電流）供給を必要とするいわゆるＣＰＵレンズの場合には、そのＣＰＵレンズにも電圧（電流）を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００３５】
カメラ電源部１２０は、バッテリー１９０から供給される電圧をカメラボディ１００、またはカメラボディ１００に接続されるカメラアクセサリーに供給できるようバッテリー電圧を変換する。例えば、カメラ電源部１２０は、バッテリー電圧を変換することで、カメラボディ１００が備えている制御系回路（主にカメラ制御部１１０）に電圧を供給する電源Ｖｃｃ０と、接続部１０１ｓに接続されるアダプター３００に電圧を供給する第１電源系統である電源Ｖｃｃ１とに分ける。この電源Ｖｃｃ１の電圧は、アダプター３００が備えている制御系回路（主にアダプター制御部３１０）に供給される。以下、この電源Ｖｃｃ１を、制御系電源Ｖｃｃ１と称する。
【００３６】
また、カメラ電源部１２０は、カメラ制御部１１０の制御により、制御系電源Ｖｃｃ１による電圧の供給状態と供給停止状態とを切り替える。さらに、カメラ電源部１２０は、カメラ制御部１１０の制御により、供給可能な電力（電力量、給電量）を制御する。例えば、カメラ電源部１２０は、カメラシステム１において撮影処理を実行可能な程度に供給可能な電力（電力量、給電量）が多い状態（通常給電状態）と、撮影処理を実行不可能な程度に供給可能な電力（電力量、給電量）が少ない状態（小給電状態）とを切り替える。
なお、制御系電源Ｖｃｃ１の電圧は、端子Ｔａ３と端子Ｔｂ３を介してアダプター制御部３１０に供給される。
【００３７】
また、バッテリー１９０の正極端子と端子Ｔａ２とが、バッテリー部１９０Ｂとスイッチ１２５を介して接続されている。これにより、上述した第１電源系統である電源Ｖｃｃ１とは別に、バッテリー１９０から第２電源系統である電源ＰＷＲが生成され、その電源ＰＷＲからの電圧がアダプター電源部３２０に供給される。電源ＰＷＲの電圧は、端子Ｔａ２と端子Ｔｂ２とを介してアダプター電源部３２０に供給される。なお、バッテリー１９０に代えて、外部の直流電源から電源ＰＷＲの電圧が供給されてもよい。また、電源ＰＷＲは、制御系電源Ｖｃｃ１に比べて供給可能な電力が大きい電源系統である。以下、この電源ＰＷＲを、パワー系電源ＰＷＲと称する。
【００３８】
また、パワー系電源ＰＷＲに対応するグランド（ＧＮＤ）であるパワー系グランドＰＧＮＤは、パワー系電源ＰＷＲの電圧が供給される各部および端子Ｔａ１に接続されている。一方、制御系電源Ｖｃｃ１に対応するグランドである制御系グランドＳＧＮＤは、端子Ｔａ８に接続されている。また、パワー系グランドＰＧＮＤと制御系グランドＳＧＮＤは、バッテリー部１９０Ｂを介してそれぞれバッテリー１９０の負極端子と同電位のグランドになっている。
なお、制御系グランドＳＧＮＤは、電源Ｖｃｃ０に対応するグランドでもあり、制御系グランドＳＧＮＤがカメラ制御部１１０のグランド端子に接続されている。
【００３９】
スイッチ１２５は、カメラ制御部１１０の制御により、導通状態と遮断状態（非導通状態）とを切り替える。すなわち、スイッチ１２５は、カメラ制御部１１０の制御により、パワー系電源ＰＷＲの電圧を、端子Ｔａ２に対して供給するか否かを切り替える。
【００４０】
カメラ制御部１１０は、カメラ電源制御部１１１と、第１カメラ通信部１１２と、を備えている。カメラ制御部１１０は、カメラボディ１００が備えている各部を制御するとともに、接続部１０１ｓを介して接続されるアダプター３００のアダプター制御部３１０との間で第１データ通信系Ｄ１ｂの通信を行う。
【００４１】
カメラ電源制御部１１１は、カメラボディ１００の状態、または、第１カメラ通信部１１２による通信状態に基づいて、カメラ電源部１２０およびスイッチ１２５を制御する。
なお、第１カメラ通信部１１２は、第１データ通信系Ｄ１ｂの通信を独立に実行する。
【００４２】
第１データ通信系Ｄ１ｂは、シリアルインターフェース方式の全二重通信による通信系である。第１カメラ通信部１１２は、第１データ通信系Ｄ１ｂとして、信号ＲＤＹ、ＣＬＫ１、ＤＡＴＡＢ、ＤＡＴＡＬの４種類の信号の授受（通信）を行う。
【００４３】
信号ＲＤＹは、第１カメラ通信部１１２に対して通信可否を通知する信号である。この信号ＲＤＹは、後述する第１アダプター通信部３１２から第１カメラ通信部１１２に対して、端子Ｔａ４を介して送信（出力）される。信号ＣＬＫ１は、シリアル通信用のクロック信号である。このクロック信号ＣＬＫ１は、第１カメラ通信部１１２から第１アダプター通信部３１２に対して、端子Ｔａ５を介して送信（出力）される。信号ＤＡＴＡＢは、第１カメラ通信部１１２から第１アダプター通信部３１２に対して、端子Ｔａ６を介して出力される、カメラボディ１００に関するデータ信号である。信号ＤＡＴＡＬは、第１アダプター通信部３１２から第１カメラ通信部１１２に対して出力される、交換レンズ２００に関するデータ信号である。第１カメラ通信部１１２は信号ＤＡＴＡＬを、端子Ｔａ７を介して受信する。
【００４４】
（交換レンズの構成）
次に、交換レンズ２００の構成について説明する。
第１実施形態（図３参照）に示す交換レンズ２００は、光学系２２０と、フォーカスリング２６０と、絞り環２５５とを備えている。しかしながら、交換レンズ２００は、カメラボディ１００またはアダプター３００と通信可能なレンズ制御部を備えていない「非ＣＰＵレンズ」である。また、光学系２２０は、レンズ２２１と、焦点調整用レンズ（以下、フォーカスレンズと称す）２２２と、絞りユニット２５０と、を備えている。光学系２２０を介して入射した被写体光（光学像）は、アダプター３００を介してカメラボディ１００が備えている周知の撮影素子（不図示）の受光面に導かれる。
また、交換レンズ２００は、例えば、光学系を電気的に駆動しない仕様のレンズである。フォーカスリング２６０は、ユーザの操作によってフォーカスレンズ２２２の位置を調整可能にする。絞り環２５５は、ユーザの操作によって絞り機構２５１Ｂの絞り開口径を変更可能にする。
【００４５】
絞りユニット２５０は、複数の絞り羽根を含む絞り機構２５１と、絞り機構２５１を機械的に操作する絞りレバー２５２とを備えている。したがって、交換レンズ２００の絞り開口径は、絞りレバー２５２が絞り機構２５１を機械的に操作することで変化する。また、図３に記載のカメラシステム１における交換レンズ２００は、絞り機構２５１を駆動するアクチュエータ等の動力源を内蔵しないレンズであり、絞り環２５５によって絞りレバー２５２を介して絞り機構２５１が駆動されるレンズである。
【００４６】
なお、交換レンズ２００においては、ユーザによって絞り環２５５が操作されることにより、絞り機構２５１の絞り開口径（開度、絞り値）が変更される。そのため、アダプター制御部３１０は、絞り機構２５１の絞り開口径（開度、絞り値）が変更されることに応じて位置が移動する絞りレバー２５２の位置に干渉しない位置（移動を妨げない位置）である退避位置に、絞り連動レバー３５０を制御する。
これにより、交換レンズ２００は、アダプター３００を介してカメラボディ１００と接続することが可能であり、交換レンズ２００の仕様に応じてマニュアル操作によって機能させることができる。
【００４７】
（アダプターの構成）
次に、アダプター３００の構成について説明する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ８）と、接続部３０２ｓ（端子Ｔｃ１〜Ｔｃ７）と、入力部３６０と、絞り連動レバー３５０と、を備えている。
【００４８】
接続部３０１ｓは、カメラボディ１００側の既述の８個の接続端子Ｔａ１〜Ｔａ８と互いに接続される、８個の接続端子Ｔｂ１〜Ｔｂ８を備えている。アダプター３００とカメラボディ１００とが接続部３０１ｓおよび接続部１０１ｓを介して接続されることにより、接続部３０１ｓの端子Ｔｂ１〜Ｔｂ８のそれぞれの端子は、接続部１０１ｓの端子Ｔａ１〜Ｔａ８のそれぞれ対応する接続端子と電気的に接続される。
【００４９】
また、接続部３０２ｓは、ＣＰＵレンズがアダプター３００に装着された場合に、ＣＰＵレンズ側の接続端子と互いに接続される、７個の接続端子Ｔｃ１〜Ｔｃ７を備えている。
【００５０】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給される。
一方、アダプター制御部３１０には、カメラボディ１００から端子Ｔａ３および端子Ｔｂ３を介して制御系電源Ｖｃｃ１の電圧が供給される。
【００５１】
このように、アダプター３００には、カメラボディ１００から制御系電源Ｖｃｃ１の電圧（第１電源系統の電圧）と、制御系電源Ｖｃｃ１と比べて供給可能な電力が大きいパワー系電源ＰＷＲの電圧（第２電源系統の電圧）との両方が供給される。アダプター電源部３２０に供給されたパワー系電源ＰＷＲの電圧は、ＣＰＵレンズがアダプター３００に装着された場合に電圧を供給するレンズ系電源系統として、レンズ駆動系電源Ｖｐ（第３電源系統）とレンズ制御系電源Ｖｃ（第４電源系統）とに分けられる（変換される）。例えば、アダプター電源部３２０は、カメラボディ１００から供給されたパワー系電源ＰＷＲから、ＣＰＵレンズに対して給電するレンズ駆動系電源Ｖｐおよびレンズ制御系電源Ｖｃの供給電圧を生成する。
なお、レンズ駆動系電源Ｖｐから供給される電圧は、レンズ制御系電源Ｖｃから供給される電圧よりも大きい。また、レンズ駆動系電源Ｖｐから供給される負荷における消費電力が、レンズ制御系電源Ｖｃから供給される負荷における消費電力に比べて多いとしてもよい。
【００５２】
さらに、アダプター電源部３２０に供給されたパワー系電源ＰＷＲからは、上述したレンズ駆動系電源Ｖｐとレンズ制御系電源Ｖｃとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部（不図示）を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
【００５３】
なお、アダプター電源部３２０は、絞り駆動用電源Ｖｍの電圧に基づいてレンズ制御系電源Ｖｃの電圧を変換する（生成する）第１レギュレータ部を備える構成としてもよい。
例えば、この第１レギュレータ部は、絞り駆動用電源Ｖｍの電圧を予め定められた電圧（予め定められたレンズ制御系電源Ｖｃの電圧）まで降圧した電圧に変換する。また、例えば、この第１レギュレータ部は、第１リニアレギュレータを備えている構成としてもよい。なお、絞り駆動用電源Ｖｍの電圧は、レンズ制御系電源Ｖｃの電圧より高い電圧に設定されている。
【００５４】
また、アダプター電源部３２０は、パワー系電源ＰＷＲの電圧に基づいてレンズ駆動系電源Ｖｐの電圧を変換する（生成する）第２レギュレータ部を備えている構成としてもよい。例えば、この第２レギュレータ部は、パワー系電源ＰＷＲの電圧を予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、この場合、第２レギュレータ部は、第１レギュレータ部と比べて供給可能な電力が大きくなる（給電量が多い）ように構成されている。また、アダプター電源部３２０は、電源電圧を検出する電圧検出部（不図示）を備え、検出結果をアダプター制御部３１０に供給する。
【００５５】
なお、アダプター電源部３２０により変換されたそれぞれの電源系の接続は、以下のようになっている。
端子Ｔｃ２は、アダプター電源部３２０のレンズ駆動系電源Ｖｐの出力端子（レンズ駆動系電源Ｖｐの電圧を出力する端子）に接続されている。また、端子Ｔｃ３は、アダプター電源部３２０のレンズ制御系電源Ｖｃの出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
【００５６】
絞り連動レバー駆動部３３０は、交換レンズ２００の絞り開口径を変更可能な構成の場合に、アダプター制御部３１０の制御により絞り連動レバー３５０の位置を移動させる。
絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、この検出結果をアダプター制御部３１０に出力する。
【００５７】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【００５８】
記憶部３４０は、例えば、不揮発性メモリーであり、交換レンズ２００のレンズ情報のうち、予め定められた固定値により対応可能な情報が予め記憶している。ここで、レンズ情報とは、カメラボディ１００から要求された場合に、本来なら交換レンズ２００がカメラボディ１００に対して送信する情報であり、例えば、後述する光学系２２０の情報（レンズ情報）が含まれる。レンズ情報は、例えば、射出瞳位置情報、開放Ｆ値情報、開放絞り値、収差補正情報、絶対距離情報、ＡＦ補正情報、焦点距離情報などの、交換レンズ（光学系２２０）の仕様に関する情報である。すなわち、記憶部３４０は、これらの複数のレンズ情報のうち、後述する入力部３６０から入力された交換レンズ２００に関する情報（交換レンズの仕様に関する情報）に基づいて生成可能なレンズ情報を除くレンズ情報を記憶している。ここで、入力部３６０から入力された交換レンズ２００の仕様に関する情報に基づいて生成可能なレンズ情報には、交換レンズ２００の仕様に関する情報がレンズ情報そのものを示す場合と、交換レンズ２００の仕様に関する情報に基づいて推定可能な場合とが含まれている。本実施形態では、記憶部３４０には、この本来なら交換レンズ２００が送信する情報である交換レンズ２００のレンズ情報の一部が予め記憶されている。
【００５９】
入力部３６０は、例えば、操作部３６１と表示部３６２とを備え、アダプター３００において、操作者（ユーザ）が操作可能な位置に配置されている（図２参照）。入力部３６０には、操作者（ユーザ）によって、交換レンズ２００関する情報（仕様に関する情報など）が入力される。この交換レンズ２００に関する情報とは、上述した交換レンズの仕様に関するレンズ情報の一部であり、例えば、交換レンズ２００の開放絞り値や焦点距離情報などである。
【００６０】
なお、交換レンズ２００の仕様に関する情報（交換レンズ２００のレンズ情報）としては、例えば、交換レンズ２００の光学特性を示す情報、交換レンズ２００の機能を示す情報、交換レンズ２００の制御用の情報、等である。すなわち、交換レンズ２００の仕様に関する情報には、交換レンズ２００の光学特性を示す情報が含まれている。ここで、交換レンズ２００の光学特性を示す情報とは、例えば、射出瞳位置を示す情報（射出瞳位置情報）、開放Ｆ値を示す情報（開放Ｆ値情報）、倍率色収差を示す情報（倍率色収差情報）、分光透過率を示す情報（分光透過率情報）、周辺光量（減光）を示す情報（減光情報）、焦点距離の情報（焦点距離等）などである。また、交換レンズ２００の機能を示す情報とは、例えば、防振機能の情報、操作スイッチの有無等の情報などである。また、交換レンズ２００の制御用の情報とは、例えば、像面移動量を補正する補正パラメータの情報、その他各種の補正値の情報、各種の駆動制限値の情報等などである。
【００６１】
本実施形態では、一例として、入力部３６０には、操作者によって、交換レンズ２００の開放絞り値（開放Ｆ値を示す情報）および焦点距離情報（光学系２２０の焦点距離を示す情報）が入力される。入力部３６０は、操作者によって入力された交換レンズ２００の開放絞り値および焦点距離情報を後述するアダプター制御部３１０に供給する。
【００６２】
操作部３６１は、操作者の操作に応じて交換レンズ２００の仕様に関する情報を入力可能な操作手段であり、例えば、キースイッチや操作釦などである。
【００６３】
表示部３６２は、例えば、液晶ディスプレイ、または有機ＥＬ（Electro-Luminescence）ディスプレイ等を含んで構成されている。表示部３６２は、交換レンズ２００の仕様に関する情報を操作するためのメニューや操作部３６１により入力された交換レンズ２００の仕様に関する情報（開放絞り値および焦点距離情報）を表示する。
【００６４】
アダプター制御部３１０は、第１マウント３０１に装着されたカメラボディ１００との間で通信可能な制御部である。アダプター制御部３１０は、アダプター電源制御部３１１と、第１アダプター通信部３１２と、絞り制御部３１４と、を備えている。また、アダプター制御部３１０は、カメラ制御部１１０との周期的な通信により制御されて、アダプター３００が備えている各部において行われる処理を制御する。また、アダプター制御部３１０は、ＣＰＵレンズがアダプター３００に装着されている場合に、レンズ制御部と周期的な通信を行う。例えば、アダプター制御部３１０は、カメラ制御部１１０との間で、定常的な周期的通信を実行する。また、アダプター制御部３１０は、ＣＰＵレンズがアダプター３００に装着されている場合に、レンズ制御部との間でも、定常的な周期的通信を実行する。
【００６５】
また、アダプター制御部３１０は、カメラ制御部１１０からの撮影処理を制御するための通信に基づいて、絞り連動レバー駆動部３３０の制御をする。また、アダプター制御部３１０は、ＣＰＵレンズがアダプター３００に装着されている場合に、ＣＰＵレンズの光学系駆動部を制御するために、レンズ制御部との通信を行う。なお、本実施形態における交換レンズ２００は、非ＣＰＵレンズである場合の例であるため、アダプター制御部３１０は、交換レンズ２００との通信を実行しない。
【００６６】
なお、アダプター制御部３１０は、カメラボディ１００からのレンズ情報の要求に対して、以下の２種類の通信処理を行う。
（第１の通信処理）
レンズ情報が交換レンズ２００の仕様に関する情報に基づいて推定可能な場合には、アダプター制御部３１０は、以下の処理を実行する。
この場合、アダプター制御部３１０は、入力部３６０から入力された交換レンズ２００の仕様に関する情報に基づいて、カメラボディ１００に対して送信するボディ送信用レンズ情報を、カメラボディ１００から要求されたレンズ情報として生成（準備）する。なお、交換レンズ２００の仕様に関する情報は、第２マウント３０２に装着されている交換レンズ２００のレンズ情報であり、例えば、焦点距離情報である。アダプター制御部３１０は、このボディ送信用レンズ情報を、入力部３６０から入力された交換レンズ２００の仕様に関する情報（例えば、焦点距離情報）に基づいて所定の推定演算により生成（準備）する。すなわち、アダプター制御部３１０は、第２マウント３０２に装着されている交換レンズ２００から取得したレンズ情報に基づくことなくボディ送信用レンズ情報を生成（準備）する。
アダプター制御部３１０は、生成したボディ送信用レンズ情報をカメラボディ１００に送信する。
【００６７】
（第２の通信処理）
レンズ情報が交換レンズ２００の仕様に関する情報に基づいて推定不可能な場合には、アダプター制御部３１０は、以下の処理を実行する。
この場合、アダプター制御部３１０は、ボディ送信用レンズ情報として固定値を生成（準備）する。なお、この固定値は、アダプター制御部３１０が備える記憶部３４０にレンズ情報として予め記憶されている情報である。
アダプター制御部３１０は、生成したボディ送信用レンズ情報をカメラボディ１００に送信する。
【００６８】
このように、本実施形態において、アダプター制御部３１０は、カメラボディ１００からのレンズ情報の要求に対して、上述の２種類の通信処理を実行するが、交換レンズ２００からレンズ情報を取得せずに、ボディ送信用レンズ情報を生成（準備）する。
つまり、アダプター制御部３１０は、上述したように、交換レンズ２００を介することなく、入力部３６０での入力に応じて、交換レンズに関する情報を入力可能である。また上述したようにアダプター制御部３１０は、その入力された情報に基づいて、交換レンズ２００とは無関係に、カメラボディ１００に送信するための「ボディ送信用レンズ情報」を生成（準備）可能である。また上述したようにアダプター制御部３１０は、生成したボディ送信用レンズ情報を、交換レンズに関係なく、カメラボディに送信可能である。
【００６９】
アダプター電源制御部３１１は、カメラ制御部１１０（またはアダプター３００にＣＰＵレンズが装着されている場合はレンズ制御部）との通信結果、またはアダプター３００の状態等に応じて、アダプター電源部３２０を制御する。例えば、アダプター電源制御部３１１は、カメラ制御部１１０（またはアダプター３００にＣＰＵレンズが装着されている場合はレンズ制御部）との通信結果に応じてアダプター電源部３２０を制御して、レンズ制御系電源Ｖｃ、レンズ駆動系電源Ｖｐ、または絞り駆動用電源Ｖｍの電圧を供給させるか否かを制御する。
また、アダプター電源制御部３１１は、カメラボディ１００から電圧が供給される電源系統の電圧（換言すればカメラボディ１００側からアダプター３００に対して供給される電圧の状態）、および、アダプター３００において生成して電圧を供給する電源系統の電圧（換言すればアダプター３００側からＣＰＵレンズに対して供給する電圧の状態）を監視する。アダプター電源制御部３１１は、各電源系統の電圧を検出する電圧検出部（不図示）を備えており、それら電圧検出部からの検出結果に基づいて各電源系統の電圧を監視し、この監視結果を必要に応じてカメラ制御部１１０に通知する。
【００７０】
絞り制御部３１４は、カメラ制御部１１０（またはアダプター３００にＣＰＵレンズが装着されている場合はレンズ制御部）との通信結果に応じて、絞り連動レバー駆動部３３０を制御する。
例えば、絞り制御部３１４は、カメラ制御部１１０との通信結果に応じて、絞り機構２５１の絞り開口径が、カメラ制御部１１０からの制御指示に応じた絞り開口径になるように絞り連動レバー駆動部３３０を制御する。
【００７１】
また、絞り制御部３１４は、絞り連動レバー３５０の位置を初期の位置に移動させる処理に応じた制御を、絞り連動レバー駆動部３３０に対しておこなう。例えば、絞り制御部３１４は、初期の位置として、絞り機構２５１が開放になる位置、絞り機構２５１の設定絞り値に応じて移動する絞りレバー２５２に干渉しない位置である退避位置、等に絞り連動レバー３５０を移動させるように絞り連動レバー駆動部３３０を制御する。
【００７２】
また、絞り制御部３１４は、絞り連動レバー駆動部３３０において検出された絞り連動レバー３５０の位置を取得する。
【００７３】
第１アダプター通信部３１２は、第１カメラ通信部１１２との間で第１データ通信系Ｄ１ｂの通信を実行する。本実施形態では、第１アダプター通信部３１２は、例えば、第１カメラ通信部１１２からレンズ情報を要求する通信データを受信した場合に、交換レンズ２００との通信を行わずに、上述した２種類の通信処理のうちのいずれかによる通信データを第１カメラ通信部１１２に送信する。
【００７４】
例えば、レンズ情報が交換レンズ２００の仕様に関する情報に基づいて推定可能な場合には、第１アダプター通信部３１２は、以下のようにボディ送信用レンズ情報を生成（準備）する。第１アダプター通信部３１２は、入力部３６０から入力された交換レンズ２００の仕様に関する情報（例えば、焦点距離情報）に基づいて、第１カメラ通信部１１２に対して送信するボディ送信用レンズ情報を、カメラボディ１００から要求されたレンズ情報として生成（準備）する。また、第１アダプター通信部３１２は、例えば、入力部３６０から入力された交換レンズ２００の仕様に関する情報（例えば、開放絞り値）をカメラボディ１００から要求されたレンズ情報としてボディ送信用レンズ情報を生成（準備）する。
【００７５】
また、例えば、レンズ情報が交換レンズ２００の仕様に関する情報に基づいて推定不可能な場合には、第１アダプター通信部３１２は、以下のようにボディ送信用レンズ情報を生成（準備）する。第１アダプター通信部３１２は、ボディ送信用レンズ情報として記憶部３４０に予め記憶されている固定値を読み出して、読み出した固定値をレンズ情報としてボディ送信用レンズ情報を生成（準備）する。
【００７６】
第１アダプター通信部３１２は、生成したボディ送信用レンズ情報を、カメラボディ１００の第１カメラ通信部１１２に対して第１データ通信系Ｄ１ｂの通信により送信する。
【００７７】
また、アダプター制御部３１０は、例えば、記憶部（不図示）を備えている。第１アダプター通信部３１２は、受信したデータ、および生成したボディ送信用レンズ情報等のデータをこの不図示の記憶部に一時的に記憶させる。そして、第１アダプター通信部３１２は、生成したデータを不図示の記憶部から読み出して送信する。
【００７８】
第１アダプター通信部３１２と第１カメラ通信部１１２とは、信号ＲＤＹ、ＣＬＫ１、ＤＡＴＡＢ、ＤＡＴＡＬの４種類の信号線を介して第１データ通信系Ｄ１ｂの通信を実行する。端子Ｔｂ４は、信号ＲＤＹの信号線を介して第１アダプター通信部３１２に接続されている。また、端子Ｔｂ５は信号ＣＬＫ１の信号線を介して第１アダプター通信部３１２に接続されている。端子Ｔｂ６は信号ＤＡＴＡＢの信号線を介して第１アダプター通信部３１２に接続されている。端子Ｔｂ７は信号ＤＡＴＡＬの信号線を介して第１アダプター通信部３１２に接続されている。そして、端子Ｔｂ４は、カメラボディ１００の端子Ｔａ４に接続されている。端子Ｔｂ５はカメラボディ１００の端子Ｔａ５に接続されている。端子Ｔｂ６はカメラボディ１００の端子Ｔａ６に接続されている。端子Ｔｂ７はカメラボディ１００の端子Ｔａ７に接続されている。
つまり、第１データ通信系Ｄ１ｂの通信を行う信号ＲＤＹ、ＣＬＫ１、ＤＡＴＡＢ、ＤＡＴＡＬの４種類の信号線は、端子Ｔｂ４〜Ｔｂ７と端子Ｔａ４〜Ｔａ７とを介して第１アダプター通信部３１２と第１カメラ通信部１１２との間で接続されている。
【００７９】
絞り連動レバー駆動部３３０は、絞り駆動用アクチュエータとしてのステッピングモーター（不図示）と、モーター駆動部（不図示）と、絞り連動レバー位置検出部（不図示）と、を備えている。ステッピングモーターは、絞り連動レバー３５０を駆動する動力源であり、モーター駆動部により駆動される。モーター駆動部は、アダプター制御部３１０の制御により、パルス電圧を生成してステッピングモーターを駆動する。また、絞り連動レバー位置検出部は、例えばフォトインタラプタを含み、絞り連動レバー３５０の位置を検出する。
【００８０】
＜状態遷移の説明＞
次に、本実施形態による処理について説明する。
まず、図４を参照して本実施形態による状態遷移の概要について説明する。
図４は、本実施形態による交換レンズに係る処理の状態遷移の概要を示すフローチャートである。
【００８１】
まず、カメラボディ１００の主電源がオンされた場合、または、カメラボディ１００の主電源がオンされている状態において、カメラボディ１００に対してアダプター３００が装着された場合、アダプター３００は、カメラボディ１００の制御により、「レンズ起動処理」を実行する（ステップＳ１００）。
【００８２】
ここで、「レンズ起動処理」とは、例えば、カメラボディ１００のカメラボディ側マウント１０１に対する着脱判定処理、アダプター３００およびアダプター３００に装着されている交換レンズ２００の初期化処理、各電源系統の給電制御処理、等である。また、例えば、このレンズ起動処理において、カメラボディ１００は、カメラボディ１００にアダプター３００を介して装着されている交換レンズ２００の種類や仕様（機能）の情報を取得する。
【００８３】
ステップＳ１００においてレンズ起動処理が完了すると、アダプター３００は、カメラボディ１００の制御により、「レンズ定常処理」に遷移する（ステップＳ２００）。
「レンズ定常処理」とは、例えば、レンズ起動処理が完了した後の撮影処理が可能な状態である。このレンズ定常処理において、カメラボディ１００は、例えば、アダプター３００を介して装着されている交換レンズ２００の装着状態の検出と光学系の情報の取得とを所定周期で行う「定常通信」を実行する。このレンズ定常処理については図５を用いて後述する。
【００８４】
次に、カメラボディ１００またはアダプター３００は、レンズ定常処理中において割り込み要求が生じたか否かを判定する（ステップＳ３００）。ステップＳ３００において、割り込み要求がないと判定された場合、アダプター３００は、カメラボディ１００の制御により、レンズ定常処理を継続する。一方、ステップＳ３００において、割り込み要求があると判定された場合、カメラボディ１００またはアダプター３００は、要求された割り込み処理に遷移する（ステップＳ４００）。ここで、割り込み処理とは、例えば、レリーズ操作による撮影開始処理、電源瞬断時の処理、低消費電力モードへの移行または電源オフによる電源遮断処理等である。
【００８５】
（レンズ定常処理におけるコマンドデータ通信の説明）
次に、レンズ定常処理（図４のステップＳ２００）において実行されるコマンドデータ通信について説明する。
【００８６】
図５は、レンズ定常処理におけるコマンドデータ通信の通信シーケンスの一例を示す図である。
図５は、交換レンズ２００（非ＣＰＵレンズ）とカメラボディ１００とがアダプター３００を介して接続されているカメラシステム１を例として、コマンドデータ通信の一例を示している。アダプター制御部３１０は、カメラ制御部１１０との間で、定常的に周期的通信を実行可能である。この周期的通信を実行することにより、カメラ制御部１１０からの要求に応じて、レンズ情報（光学系２２０の情報等）をカメラ制御部１１０に送信する。
【００８７】
「レンズ定常処理」において、例えば、図５に示すように、第１アダプター通信部３１２は、交換レンズ２００との間で通信する第１定期通信は実行せずに、カメラボディ１００が備えているカメラ制御部１１０と通信する第２定期通信を実行する。図５では、カメラシステム１が、「レンズ定常処理」の一例として、レンズ情報の要求処理を実行する一例について説明する。
【００８８】
図５において、ステップＳ１０１０の処理は、カメラボディ１００が、交換レンズ２００に対してレンズ情報を要求する場合の処理を示している。この場合、第１アダプター通信部３１２は、交換レンズ２００との通信を行わずに、上述した２種類の通信処理のうちのいずれかにより第１カメラ通信部１１２との間で通信を実行する。
【００８９】
まず、第１カメラ通信部１１２が、第１アダプター通信部３１２に対して、第１データ通信系Ｄ１ｂの通信によりレンズ情報を要求するレンズ情報要求を送信する（ステップＳ１０１１）。
【００９０】
次に、第１アダプター通信部３１２は、送信データとして、ボディ送信用レンズ情報を生成（準備）する（ステップＳ２０１０）。すなわち、第１アダプター通信部３１２は、レンズ情報が推定可能な場合には、入力部３６０から入力された交換レンズ２００の仕様に関する情報（例えば、焦点距離情報）に基づいて、ボディ送信用レンズ情報を生成（準備）する。また、第１アダプター通信部３１２は、レンズ情報が推定不可能な場合には、記憶部３４０に予め記憶されている固定値を読み出して、読み出した固定値をレンズ情報としてボディ送信用レンズ情報を生成（準備）する。
【００９１】
次に、第１アダプター通信部３１２は、生成したボディ送信用レンズ情報をカメラボディ１００の第１カメラ通信部１１２に対して第１データ通信系Ｄ１ｂの通信により送信する（ステップＳ１０１２）。
【００９２】
このように、カメラボディ１００が交換レンズ２００のレンズ情報を取得する場合に、第１アダプター通信部３１２は、交換レンズ２００との間の通信を実行しない。そのため、第１アダプター通信部３１２は、交換レンズ２００からの応答情報を第１データ通信系Ｄ１ｂの通信用の通信規格に変換する必要がない。よって、第１アダプター通信部３１２は、カメラボディ１００が交換レンズ２００のレンズ情報を取得する処理において、演算量を低減することができ、処理時間を短縮できる。
【００９３】
図６は、本実施形態によるアダプター３００が生成するレンズ情報の一例を示す図である。
図６において、左側の列は、レンズ情報の項目を示している。
また、右側の列は、アダプター３００が生成する送信用レンズ情報を示している。
【００９４】
カメラボディ１００が要求するレンズ情報の項目が、図６に示されている収差補正情報、絶対距離情報、又はＡＦ補正情報である場合には、第１アダプター通信部３１２は、記憶部３４０に予め記憶されている固定値を読み出して、読み出した固定値をレンズ情報としてボディ送信用レンズ情報を生成（準備）する。例えば、カメラボディ１００が要求するレンズ情報の項目が収差補正情報である場合には、第１アダプター通信部３１２は、記憶部３４０から読み出した固定値（例えば“０”）をボディ送信用レンズ情報として生成（準備）する。また、例えば、カメラボディ１００が要求するレンズ情報の項目が絶対距離情報である場合には、第１アダプター通信部３１２は、記憶部３４０から読み出した固定値（例えば無限遠相当のデータ値）をボディ送信用レンズ情報として生成（準備）する。また、例えば、カメラボディ１００が要求するレンズ情報の項目がＡＦ補正情報である場合には、第１アダプター通信部３１２は、記憶部３４０から読み出した固定値（例えば無効に対応するデータ値）をボディ送信用レンズ情報として生成（準備）する。
【００９５】
また、カメラボディ１００が要求するレンズ情報の項目が、図６に示されている射出瞳位置情報、開放Ｆ値情報、又は焦点距離情報である場合には、第１アダプター通信部３１２は、入力部３６０から入力された交換レンズ２００の仕様に関する情報に基づいて、ボディ送信用レンズ情報を生成（準備）する。例えば、カメラボディ１００が要求するレンズ情報の項目が射出瞳位置情報である場合には、第１アダプター通信部３１２は、入力部３６０から入力された焦点距離情報に基づいて演算されたデータ値をボディ送信用レンズ情報として生成（準備）する。なお、焦点距離情報を変数Ｘとした場合の射出瞳位置情報は、例えば、焦点距離情報（変数Ｘ）の関数（ｆ（Ｘ））として推定される。
【００９６】
また、例えば、カメラボディ１００が要求するレンズ情報の項目が開放Ｆ値情報である場合には、第１アダプター通信部３１２は、入力部３６０から入力された開放絞り値をボディ送信用レンズ情報として生成（準備）する。また、例えば、カメラボディ１００が要求するレンズ情報の項目が焦点距離情報である場合には、第１アダプター通信部３１２は、入力部３６０から入力された焦点距離情報をボディ送信用レンズ情報として生成（準備）する。
【００９７】
（レンズ情報の生成処理）
次に、レンズ情報を生成する処理の一例として、射出瞳位置情報を生成する例について説明する。
図７は、アダプター３００による送信データ（射出瞳位置情報）の生成処理の一例を示すフローチャートである。
【００９８】
図７において、カメラボディ１００からレンズ情報として射出瞳位置情報を要求された場合には、まず、第１アダプター通信部３１２は、入力部３６０から交換レンズ２００の仕様に関する情報として、焦点距離情報Ｘを取得する（ステップＳ２０１１）。
【００９９】
次に、第１アダプター通信部３１２は、焦点距離情報Ｘに基づいて射出瞳位置情報を算出する（ステップＳ２０１２）。すなわち、第１アダプター通信部３１２は、所定の推定演算（関数ｆ（Ｘ））により、射出瞳位置情報の推定データを算出する。
【０１００】
次に、第１アダプター通信部３１２は、算出した射出瞳位置情報の推定データをボディ送信用レンズ情報として生成（準備）する（ステップＳ２０１３）。
【０１０１】
次に、第１アダプター通信部３１２は、生成したボディ送信用レンズ情報を第１データ通信系Ｄ１ｂの通信により、カメラボディ１００に送信する（ステップＳ２０１４）。
【０１０２】
なお、上述のようにアダプター３００側（第１アダプター通信部３１２）から送信されてきた「ボディ送信用レンズ情報」を受信したカメラボディ１００側では、これらの受信したレンズ情報を、カメラボディ１００側で行う様々な制御に利用する。これらレンズ情報のカメラボディ１００側（カメラ制御部１１０）での利用形態について、以下に説明する。
【０１０３】
まず、カメラボディ１００側では、「射出瞳位置情報」を、周知のフォーカスエイド制御（すなわち、マニュアルフォーカス操作に応じてデフォーカス量を算出し、その算出したデフォーカス量が合焦範囲内に入っているか否かを識別して、そのときの合焦状態をユーザーに視認可能に表示する制御）を行う際に利用する。具体的にいうと、カメラ制御部１１０は、デフォーカス量を算出する際に射出瞳位置情報を利用する。
【０１０４】
またカメラ制御部１１０は、「ＡＦ補正情報」（像面におけるレンズ固有の光軸方向補正量）も、上記射出瞳位置情報と同様に、デフォーカス量を算出する際に利用する。
【０１０５】
またカメラボディ１００側では、「開放Ｆ値情報（開放絞り値）」を、開放測光における露出値演算を行う際に利用する。
【０１０６】
またカメラボディ１００側では、「収差補正情報」を、光学系の様々の収差（歪曲収差など）情報を用いた画像処理により画像を補正する、いわゆる収差補正処理を行う際に利用する。ただし、上記実施形態で既述したように、収差補正情報として固定値の「０」を受信した場合には、カメラ制御部１１０は、「収差０のレンズである」と見做して画像処理による収差補正は行わない。
【０１０７】
またカメラボディ１００側では、「絶対距離情報」を、撮影用補助光（いわゆるフラッシュ光）を伴う撮影の際の、撮影補助光（フラッシュ光）の発光量を決定（算出）するときに使用する。
【０１０８】
またカメラボディ１００側では、焦点距離情報を、撮影条件の一つとして画像データと共に記録される撮影条件データとして、撮影画像データに付随して（例えばＥｘｉｆのタグ情報として）記録すべき情報として利用する。
【０１０９】
以上のように、カメラボディ１００側では、入力部３６０で入力された情報に基づき準備するボディ送信用レンズ情報を、カメラボディ側で行う様々な制御に利用する。このため、入力部３６０を用いて上述のように準備された「ボディ送信用レンズ情報」をカメラボディ側に通信することによって、カメラシステム上たとえカメラボディ１００と通信不能な交換レンズを利用していた（アダプター３００を介してカメラボディ１００に装着していた）としても、その交換レンズの性能を、カメラシステム上適切に機能させることが可能となる。
【０１１０】
以上説明したように、本実施形態におけるアダプター３００は、カメラボディ１００を着脱可能な第１マウント３０１と、第１マウント３０１とは別に設けられており、交換レンズ２００を着脱可能な第２マウント３０２と、アダプター制御部３１０と、入力部３６０と、を備えている。アダプター制御部３１０は、第１マウント３０１に装着されたカメラボディ１００との間で通信可能である。入力部３６０は、交換レンズ２００の仕様に関する情報を入力可能な構成となっている。また、アダプター制御部３１０（第１アダプター通信部３１２）は、カメラボディ１００に対して送信するボディ送信用レンズ情報（例えば、射出瞳位置情報）を、入力部３６０から入力された交換レンズ２００の仕様に関する情報（例えば、焦点距離情報）に基づいて生成（準備）する。ここで、ボディ送信用レンズ情報は、第２マウント３０２に装着されている交換レンズ２００のレンズ情報として、カメラボディ１００から要求された情報である。
【０１１１】
上述のように、アダプター３００は、アダプター制御部３１０が入力部３６０から入力された交換レンズ２００の仕様に関する情報に基づいてボディ送信用レンズ情報を生成（準備）する。そのため、交換レンズ２００からレンズ情報を取得する必要がない。したがって、本実施形態におけるアダプター３００は、交換レンズの仕様や互いに通信規格の異なる交換レンズ２００（非ＣＰＵレンズ）とカメラボディ１００であっても、アダプター３００を介して接続することにより、カメラシステム上適切に機能させることができる。すなわち、本実施形態におけるアダプター３００は、レンズ交換式のカメラシステムにおいて、様々な種類の光学系（例えば、交換レンズ２００）を、カメラシステム上適切に機能させることができる。
【０１１２】
また、本実施形態では、アダプター制御部３１０（第１アダプター通信部３１２）は、ボディ送信用レンズ情報を、入力部３６０から入力された交換レンズ２００の仕様に関する情報（例えば、焦点距離情報Ｘ）に基づいて所定の推定演算（例えば、（関数ｆ（Ｘ））により生成（準備）する。
これにより、カメラボディ１００は、固定値でなく、交換レンズ２００の仕様に関する情報（例えば、焦点距離情報Ｘ）に応じた適切なレンズ情報（例えば、射出瞳位置情報）を取得することができる。
【０１１３】
また、本実施形態において、アダプター制御部３１０（第１アダプター通信部３１２）は、第２マウント３０２に装着されている交換レンズ２００からレンズ情報を取得せずに、ボディ送信用レンズ情報を、入力部３６０から入力された交換レンズ２００の仕様に関する情報に基づいて生成（準備）する。
【０１１４】
これにより、アダプター制御部３１０（第１アダプター通信部３１２）は、交換レンズ２００からレンズ情報を取得する処理、および、交換レンズ２００から取得したレンズ情報を、カメラボディ１００との通信用のデータに変換する処理を実行する必要がない。よって、本実施形態におけるアダプター３００は、互いに異なる通信規格の交換レンズ２００とカメラボディ１００との間の通信を中継する場合に、中継処理における演算量を低減できる。また、本実施形態におけるアダプター３００は、通信用のデータの変換を行わないので、アダプター３００とカメラボディ１００との間の応答時間を短縮できる。
【０１１５】
例えば、交換レンズの仕様や通信規格の全く異なる交換レンズ（たとえば製造メーカの異なる交換レンズ）に対しても、本実施形態におけるアダプター３００では、入力部３６０から入力された交換レンズ２００の仕様に関する情報を入力し、入力された情報に基づいてレンズ情報が生成される。そのため、交換レンズの仕様や通信規格の全く異なる交換レンズであっても、本実施形態におけるアダプター３００は、アダプター３００を介して接続することにより、カメラシステム上適切に機能させることができる。
【０１１６】
また、本実施形態において、入力部３６０は、操作者の操作に応じて交換レンズ２００の仕様に関する情報を入力可能な操作部３６１を備えている。
これにより、操作者は、入力部３６０から交換レンズ２００の仕様に関する情報を直接入力することが可能である。そのため、本実施形態におけるアダプター３００は、交換レンズ２００の仕様に関する情報を入力する際に、利便性を向上させることができる。
【０１１７】
また、本実施形態において、交換レンズ２００の仕様に関する情報には、交換レンズ２００が備える光学系２２０の種類を示す情報（例えば、焦点距離情報）が含まれている。
アダプター制御部３１０（第１アダプター通信部３１２）は、入力部３６０から入力された光学系２２０の種類を示す情報（例えば、焦点距離情報）に基づいて、ボディ送信用レンズ情報を生成（準備）する。
【０１１８】
これにより、本実施形態におけるアダプター３００は、交換レンズ２００から取得することなく、ボディ送信用レンズ情報を得ることができる。そのため、交換レンズの仕様や通信規格の全く異なる交換レンズであっても、本実施形態におけるアダプター３００は、アダプター３００を介して接続することにより、カメラシステム上適切に機能させることができる。
【０１１９】
なお、既述の如く、第１実施形態における交換レンズ２００は、非ＣＰＵレンズであり、アダプター制御部３１０は、交換レンズ２００との間で通信を実行しない。このことは、換言すれば、アダプター制御部３１０は、アダプター３００に交換レンズ２００を装着しているか否かとは無関係に、入力部３６０で入力された情報に基づいて「ボディ送信用レンズ情報」を準備し、それをカメラボディ１００に送信することが出来る、ということである。つまりアダプター制御部３１０は、第２マウント３０２に交換レンズが装着されていなくとも、カメラボディ１００から給電を受けている状態であれば、ボディ送信用レンズ情報を準備（生成）してカメラボディ１００に送信することが出来る。
【０１２０】
次に、交換レンズの他の形態について説明する。
アダプター３００を介してカメラボディ１００と接続して機能させること（撮影レンズとして機能させること）が可能なレンズは、図３を用いて説明した交換レンズ２００に限られるものではない。交換レンズ２００の他に、様々な交換レンズを、アダプター３００を介してカメラボディ１００と接続して、カメラシステム上機能させることが可能である。
【０１２１】
［第２実施形態］
本実施形態では、ＣＰＵレンズがアダプター３００を介してカメラボディ１００と接続される場合の一例について説明する。
図８は、本実施形態によるカメラシステム１Ａの構成の一例を示す概略ブロック図である。この図において、カメラボディ１００と交換レンズ２００Ａとは、アダプター３００を介して装着されている。また、カメラボディ１００、交換レンズ２００Ａ、およびアダプター３００がそれぞれ備える接続端子を介して、互いに電気的に接続されている。また、同図において図３の各部に対応する部分には同一の符号を付け、その説明を省略する。
【０１２２】
例えば、交換レンズ２００Ａは、レンズ制御部２１０を備えてはいるが、アダプター３００およびカメラボディ１００と通信規格が異なるため、両者と通信できない交換レンズである。
交換レンズ２００Ａは、フォーカスリング２６０と、絞り環２５５とを備えていいないレンズであり、レンズ制御部２１０、光学系駆動部２３０、および電気的な接続端子（Ｔｄ１〜Ｔｄ７）を備えている点で、図３に示す交換レンズ２００と異なる。
なお、本実施形態では、交換レンズ２００Ａの絞り開口径が絞り連動レバー３５０により変更可能な構成である。そのため、絞り連動レバー駆動部３３０は、アダプター制御部３１０の制御により絞り連動レバー３５０の位置を移動させる。
【０１２３】
次に、交換レンズ２００Ａの構成について説明する。
交換レンズ２００Ａは、接続部２０１ｓ（端子Ｔｄ１〜Ｔｄ７）と、レンズ制御部２１０と、光学系２２０と、光学系駆動部２３０とを備えている。
光学系２２０を介して入射した被写体光（光学像）は、アダプター３００を介してカメラボディ１００が備えている周知の撮影素子（不図示）の受光面に導かれる。
光学系２２０は、レンズ２２１と、焦点調整用レンズ（以下、フォーカスレンズと称す）２２２と、光学像の像ぶれ補正用（防振用）レンズ（以下、ＶＲ（Vibration Reduction）レンズと称す）２２３と、絞りユニット２５０と、を備えている。
【０１２４】
絞りユニット２５０は、複数の絞り羽根を含む絞り機構２５１と、絞り機構２５１を機械的に操作する絞りレバー２５２とを備えている。したがって、交換レンズ２００Ａの絞り開口径は、絞りレバー２５２が絞り機構２５１を機械的に操作することで変化する。また、図８に記載のカメラシステム１における交換レンズ２００Ａは、絞り機構２５１を駆動するアクチュエータ等の動力源を内蔵しないレンズであり、アダプター３００の絞り連動レバー３５０によって絞りレバー２５２を介して絞り機構２５１が駆動されるレンズである。
【０１２５】
光学系駆動部２３０は、ＡＦ（Auto Focus）駆動部２３１と、ＡＦエンコーダ２３２と、ＶＲ駆動部２３５と、を備えている。
ＡＦ駆動部２３１は、レンズ制御部２１０の制御によりフォーカスレンズ２２２を駆動させる。また、ＡＦエンコーダ２３２は、フォーカスレンズ２２２の位置を検出してレンズ制御部２１０に検出結果を供給する。
ＶＲ駆動部２３５は、レンズ制御部２１０の制御によりＶＲレンズ２２３を駆動させる。
なお、交換レンズ２００Ａは、ユーザに手動操作されることによってフォーカスレンズ２２２の位置を移動させるフォーカスリングを備えている構成としてもよい。
【０１２６】
接続部２０１ｓは、アダプター３００が備えている接続部３０２ｓの７個の接続端子（端子Ｔｃ１〜Ｔｃ７）と互いに接続される接続端子として、７個の接続端子Ｔｄ１〜Ｔｄ７を備えている。アダプター３００と交換レンズ２００Ａとが、接続部３０２ｓおよび接続部２０１ｓを介して接続されることにより、接続部３０２ｓの端子Ｔｃ１〜Ｔｃ７のそれぞれの端子は、接続部２０１ｓの端子Ｔｄ１〜Ｔｄ７のそれぞれ対応する接続端子と接続される。
【０１２７】
光学系駆動部２３０の電圧が供給される電源Ｖｐは、端子Ｔｄ２を介して供給される。
以下、この電源Ｖｐをレンズ駆動系電源Ｖｐと称する。レンズ駆動系電源Ｖｐはアダプター３００を介してパワー系電源ＰＷＲから供給される。
例えば、ＡＦ駆動部２３１が備えているフォーカスレンズ２２２を駆動するアクチュエータ、およびＶＲレンズ２２３を駆動するアクチュエータ等のように消費電力が多い光学系駆動部２３０に、この端子Ｔｄ２からレンズ駆動系電源Ｖｐの電圧が供給される。また、レンズ駆動系電源Ｖｐに対応するグランドであるパワー系グランドＰＧＮＤは、光学系駆動部２３０のグランド端子および端子Ｔｄ１に接続されている。
【０１２８】
レンズ制御部２１０の電圧が供給される電源Ｖｃは、端子Ｔｄ３に接続されている。以下、この電源Ｖｃをレンズ制御系電源Ｖｃと称する。レンズ制御系電源Ｖｃはアダプター３００を介してパワー系電源ＰＷＲから供給される。
光学系駆動部２３０と比べて消費電力が少ないレンズ制御部２１０を含む制御系回路等に、この端子Ｔｄ３を介してレンズ制御系電源Ｖｃの電圧が供給される。また、レンズ制御系電源Ｖｃに対応するグランドである制御系グランドＳＧＮＤは、レンズ制御部２１０のグランド端子および端子Ｔｄ７に接続されている。
すなわち、パワー系グランドＰＧＮＤと制御系グランドＳＧＮＤとは、交換レンズ２００Ａにおいて互いに接続されておらず、２系統のグランドに分離されている。
【０１２９】
レンズ制御部２１０は、光学系制御部２１１と、第１レンズ通信部２１２と、を備えている。レンズ制御部２１０は、光学系駆動部２３０を制御するとともに、接続部２０１ｓを介して接続されるアダプター３００のアダプター制御部３１０との間で第１データ通信系Ｄ１Ｌの通信を制御する。
【０１３０】
光学系制御部２１１は、光学系駆動部２３０を制御する。例えば、光学系制御部２１１は、アダプター３００との通信状態に応じて、光学系駆動部２３０を初期化する。また、光学系制御部２１１は、アダプター３００を介したカメラ制御部１１０の制御に応じて、フォーカスレンズ２２２またはＶＲレンズ２２３等の駆動要素を駆動するよう、光学系駆動部２３０を制御する。また、光学系制御部２１１は、光学系駆動部２３０から供給される光学系（駆動要素）２２０に関する情報（例えば、ＡＦエンコーダ２３２に検出されたフォーカスレンズ２２２の位置等の情報）を取得する。
【０１３１】
第１レンズ通信部２１２は、第１データ通信系Ｄ１Ｌの通信を独立したタイミングで実行する。
第１データ通信系Ｄ１Ｌは、シリアルインターフェース方式の半二重通信による通信系である。第１レンズ通信部２１２は、第１データ通信系Ｄ１Ｌとして、信号Ｒ／Ｗ、ＣＬＫ２、ＤＡＴＡの３種類の信号の通信を実行する。
信号Ｒ／Ｗは、後述するデータ信号の通信方向を示すリード／ライト信号である。信号Ｒ／Ｗは、レンズ側とアダプター３００間のハンドシェイクを行う信号として利用され、端子Ｔｄ４を介して、後述する第１アダプター通信部３１２と第１レンズ通信部２１２との間で送受信される。信号ＣＬＫ２は、シリアル通信用のクロック信号である。信号ＣＬＫ２は、第１アダプター通信部３１２から第１レンズ通信部２１２に対して、端子Ｔｄ５を介して送信(出力)される。信号ＤＡＴＡは、第１アダプター通信部３１２と第１レンズ通信部２１２との間で、端子Ｔｄ６を介して送受信されるデータ信号である。
【０１３２】
また、本実施形態では、アダプター３００のアダプター電源部３２０は、レンズ駆動系電源Ｖｐの電圧を端子Ｔｃ２および端子Ｔｄ２を介して交換レンズ２００Ａの光学系駆動部２３０に供給する。また、アダプター電源部３２０は、レンズ制御系電源Ｖｃの電圧を端子Ｔｃ３および端子Ｔｄ３を介して交換レンズ２００Ａのレンズ制御部２１０に供給する。
【０１３３】
これにより、アダプター３００は、カメラボディ１００から供給される制御系電源Ｖｃｃ１の電圧を、交換レンズ２００Ａに供給する電圧とせずに、アダプター制御部３１０に供給する電圧とすることができる。カメラボディ１００内のカメラ電源部１２０は、端子Ｔａ３を介して接続されている接続先に対して、制御系電源Ｖｃｃ１を（接続先からの「供給要求」がある限り）常時供給するように構成されている。このため、端子Ｔａ３に対して端子Ｔｂ３を介して接続されているアダプター制御部３１０は、例えカメラボディ１００側の電源スイッチがＯＦＦされたとしても、常時起動させておくことができる。アダプター制御部３１０を常時起動させておくことにより、アダプター３００側の設定状態（例えば、絞り連動レバー３５０の初期化処理が完了済みか否かなど）を記憶しておくことが出来るので、カメラボディ１００側の電源スイッチをＯＮしたときにアダプター３００内で無駄な初期化処理を行わずに済む、という利点がある。
【０１３４】
また、本実施形態では記載していないが、アダプター３００側にユーザが操作可能なカメラボディ起動スイッチ（アダプター３００側で電源のＯＮ／ＯＦＦを切り替えるスイッチ）を設けた場合には、その起動スイッチのＯＮ操作を常時モニターできるので、アダプター３００側の操作によってカメラボディ１００を起動させるシステムを構成することも可能になる（ちなみに、もしレンズ制御部２１０を常時起動させるように、制御系電源Ｖｃｃ１をレンズ制御部２１０に伝達するシステム構成を採用した場合には、交換レンズ２００Ａ側にカメラボディ１００を起動するための操作スイッチを設けたとしても、交換レンズ２００Ａとカメラボディ１００の両者間には起動状態にない（電源供給されていないため）アダプター３００が介在することになる。よって、その交換レンズ２００Ａ側の操作スイッチの操作をカメラボディ１００側に伝えることができないため、カメラボディ１００を起動させることが出来ない）。
【０１３５】
さらに、アダプター電源部３２０は、アダプター３００内の絞り駆動用電源Ｖｍの電圧を、絞り連動レバー駆動部３３０に供給する。つまりアダプター３００は、絞り連動レバー駆動部３３０に供給する電圧を、カメラボディ１００から供給されるパワー系電源ＰＷＲの電圧から生成する。パワー系電源ＰＷＲは、制御系電源Ｖｃｃ１よりも給電力が十分に大きい。そのため、パワー系電源ＰＷＲを様々な回路への給電に利用することができ、且つ本実施形態のようにパワー系電源ＰＷＲから絞り連動レバー駆動部３３０に給電する電圧を作成しても（パワー系電源ＰＷＲを兼用しても）、その兼用先の他の回路の動作（例えば上述のレンズ制御部２１０の動作）に悪影響を与えることがない。
【０１３６】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００Ａの端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【０１３７】
また、端子Ｔｂ８は、カメラボディ１００の端子Ｔａ８に接続されている。これにより、制御系グランドＳＧＮＤは、端子Ｔａ８を介して端子Ｔｂ８に接続されている。また、端子Ｔｂ８と端子Ｔｃ７とは、アダプター３００内で制御系グランドＳＧＮＤとして接続されている。さらに、端子Ｔｃ７は、交換レンズ２００Ａの端子Ｔｄ７に接続されている。これにより、制御系グランドＳＧＮＤは、レンズ制御系電源Ｖｃに対応するグランドとして、端子Ｔｃ７を介して端子Ｔｄ７に接続されている。また、制御系グランドＳＧＮＤは、アダプター制御部３１０のグランドとしても接続されている。
【０１３８】
このように、パワー系グランドＰＧＮＤと制御系グランドＳＧＮＤとは、アダプター３００において互いに接続されておらず、２系統のグランドに分離されている。
つまり、交換レンズ２００Ａおよびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
よって、パワー系グランドＰＧＮＤにおいて生じるノイズが制御系グランドＳＧＮＤに対して影響することを低減することができる。
【０１３９】
なお、交換レンズ２００Ａにおいて、制御系グランドＳＧＮＤは、レンズ側マウント２０１の導電部（交換レンズ筐体）に接続されていてもよい。また、交換レンズ２００Ａにおいて制御系グランドＳＧＮＤが接続されている端子Ｔｄ７は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ７は、第２マウント３０２の導電部に含まれている構成としてもよい。
さらに、同様に、端子Ｔｂ８は第１マウント３０１の導電部に接続されていてもよく、また、端子Ｔｂ８は第１マウント３０１の導電部に含まれている構成としてもよい。同様に、端子Ｔａ８も、カメラボディ側マウント１０１の導電部に接続されていてもよく、また、端子Ｔａ８はカメラボディ側マウント１０１の導電部に含まれている構成としてもよい。
【０１４０】
次に、本実施形態による処理について説明する。
本実施形態による状態遷移の概要は、図４に示される第１実施形態の処理と同様である。また、本実施形態において、レンズ定常処理におけるコマンドデータ通信の通信シーケンス、およびアダプター３００による送信データ（射出瞳位置情報）の生成処理は、図５および図７に示される処理と同様である。
すなわち、本実施形態においても第１実施形態と同様に、「レンズ定常処理」において、第１アダプター通信部３１２は、交換レンズ２００Ａとの間で通信する第１定期通信は実行せずに、カメラボディ１００が備えているカメラ制御部１１０と通信する第２定期通信を実行する。例えば、第１アダプター通信部３１２は、レンズ情報が推定可能な場合には、入力部３６０から入力された交換レンズ２００Ａの仕様に関する情報（例えば、焦点距離情報）に基づいて、ボディ送信用レンズ情報を生成（準備）する。また、第１アダプター通信部３１２は、レンズ情報が推定不可能な場合には、記憶部３４０に予め記憶されている固定値を読み出して、読み出した固定値をレンズ情報としてボディ送信用レンズ情報を生成（準備）する。
【０１４１】
以上説明したように、本実施形態におけるアダプター３００は、交換レンズ２００ＡがＣＰＵレンズである場合においても、アダプター制御部３１０（第１アダプター通信部３１２）が入力部３６０から入力された交換レンズ２００Ａの仕様に関する情報に基づいてボディ送信用レンズ情報を生成（準備）するため、交換レンズ２００Ａからレンズ情報を取得する必要がない。そのため、本実施形態におけるアダプター３００は、交換レンズの仕様や互いに通信規格の異なる交換レンズ２００Ａ（ＣＰＵレンズ）とカメラボディ１００であっても、アダプター３００を介して接続することにより、適切に機能させることができる。すなわち、本実施形態におけるアダプター３００は、レンズ交換式のカメラシステムにおいて、様々な種類の光学系（例えば交換レンズ２００Ａ）を、カメラシステム上適切に機能させることができる。
【０１４２】
また、アダプター３００は、アダプター制御部３１０（第１アダプター通信部３１２）が入力部３６０から入力された交換レンズ２００Ａの仕様に関する情報に基づいてボディ送信用レンズ情報を生成（準備）するため、交換レンズ２００Ａから取得したレンズ情報を、カメラボディ１００との通信用のデータに変換する必要がない。そのため、本実施形態におけるアダプター３００は、互いに異なる通信規格の交換レンズ２００Ａとカメラボディ１００との間の通信を中継する場合に、中継処理における演算量を低減できる。また、本実施形態におけるアダプター３００は、通信用のデータに変換を行わないので、アダプター３００とカメラボディ１００との間の応答時間を短縮できる。
【０１４３】
なお、既述の如く、第２実施形態における交換レンズ２００Ａは、アダプター３００およびカメラボディ１００と通信規格が異なる交換レンズであり、アダプター制御部３１０は、交換レンズ２００Ａとの間で通信を実行しない。このことは、換言すれば、アダプター制御部３１０は、アダプター３００に交換レンズ２００Ａを装着しているか否かとは無関係に、入力部３６０で入力された情報に基づいて「ボディ送信用レンズ情報」を準備し、それをカメラボディ１００に送信することが出来る、ということである。つまりアダプター制御部３１０は、第２マウント３０２に交換レンズが装着されていなくとも、カメラボディ１００から給電を受けている状態であれば、ボディ送信用レンズ情報を準備（生成）してカメラボディ１００に送信することが出来る。
【０１４４】
なお、本実施形態において、交換レンズ２００Ａがアダプター３００およびカメラボディ１００と通信規格が異なるため通信できない交換レンズである形態について説明した。しかし、交換レンズ２００Ａがアダプター３００と通信可能な形態でもよい。例えば、アダプター制御部３１０（第１アダプター通信部３１２）は、第２マウント３０２に装着された交換レンズ２００Ａとの間で通信可能である場合に、アダプター制御部３１０は、交換レンズ２００Ａに対して送信する処理を実行し、交換レンズ２００Ａから受信する処理を実行しない形態でもよい。
これにより、本実施形態におけるアダプター３００は、交換レンズ２００Ａを制御しつつ、互いに異なる通信規格の交換レンズ２００Ａとカメラボディ１００との間の通信を中継する場合に、中継処理における演算量を低減できる。
【０１４５】
また、例えば、アダプター制御部３１０（第１アダプター通信部３１２）は、カメラボディ１００の情報、アダプター３００の情報、および交換レンズ２００Ａへの制御指令、のいずれかを交換レンズ２００Ａに対して送信する処理を実行し、交換レンズ２００Ａからレンズ情報を受信する処理を実行しない形態でもよい。
これにより、本実施形態におけるアダプター３００は、交換レンズ２００Ａを制御しつつ交換レンズ２００Ａからレンズ情報を受信しない。そのため、互いに異なる通信規格の交換レンズ２００Ａとカメラボディ１００との間の通信を中継する場合に、中継処理における演算量を低減できる。
【０１４６】
なお、本発明は、上記の各実施形態のみに限定されるものではなく、本発明の趣旨を逸脱しない範囲で変更可能である。例えば、上記の各実施形態において、入力部３６０は、操作部３６１と、表示部３６２とを備える形態を説明したが、これのみに限定されるものではない。例えば、入力部３６０は、無線通信又は有線通信により外部の入力装置と通信するインターフェース部を備え、操作部３６１と、表示部３６２とを備えない形態でもよい。また、入力部３６０は、開放絞り値および焦点距離情報が入力される形態を説明した。しかし、入力部３６０は、少なくとも一方の情報が入力される形態でもよいし、他の情報（例えば、収差情報などの上述したレンズ情報）が入力される形態でもよい。
また、入力部３６０は、入力情報別に複数の入力スイッチが設けられている形態でもよいし、表示部３６２またはカメラボディ１００の表示部１５０の表示画面にメニュー表示をさせ、メニュー表示の中から入力項目を選べるようにする形態でもよい。また、入力部３６０は、タッチパネル方式の入力部３６０としてもよい。
また、操作部３６１は、キースイッチや操作釦などの他に、絞り環のような構成によって、交換レンズ２００（２００Ａ）の仕様に関する情報を入力または予め定められた情報（又は情報の値）のうちから選択される形態でもよい。
【０１４７】
また、入力部３６０は、予め用意された複数の交換レンズ２００（２００Ａ）の仕様に関する情報（例えば、焦点距離情報の値）のうちのいずれかを選択する選択部を備える形態でもよい。
この場合、さらに、入力部３６０は、交換レンズ２００（２００Ａ）の仕様に関する情報を直接選択するのではなく、交換レンズ２００（２００Ａ）の仕様に関する情報に対応する情報（例えば、番号など）を、操作者が選択部によって選択する形態でもよい。例えば、選択部によって選択される番号と、交換レンズ２００（２００Ａ）の仕様に関する情報とが対応付けられて記憶部３４０に記憶されている。この場合、アダプター制御部３１０は、選択部によって選択された番号に基づいて、交換レンズ２００（２００Ａ）の仕様に関する情報をボディ送信用レンズ情報として生成（準備）してもよい。すなわち、アダプター制御部３１０は、選択部によって選択された番号に基づいて記憶部３４０に記憶されている交換レンズ２００（２００Ａ）の仕様に関する情報を読み出して、ボディ送信用レンズ情報として生成（準備）してもよい。
【０１４８】
また、上記の各実施形態において、一例として、焦点距離情報から射出瞳位置情報をレンズ情報として推定する形態を説明したが、これのみに限定されない。例えば、他の交換レンズ２００（２００Ａ）の仕様に関する情報に基づいて、他のレンズ情報を推定する形態でもよい。また、レンズ情報は、複数のレンズ情報に基づいて推定される形態でもよい。この場合、さらに、アダプター制御部３１０は、ボディ送信用レンズ情報を、アダプター３００が備えている記憶部３４０に記憶されている予め定められたレンズ情報と、入力部３６０から入力された交換レンズの仕様に関する情報とに基づいて生成（準備）してもよい。
【０１４９】
また、上記の各実施形態において、交換レンズ２００（２００Ａ）の仕様に関する情報には、交換レンズ２００が備える光学系２２０の種類を示す情報が含まれ、この光学系２２０の種類を示す情報が、開放絞り値、又は焦点距離情報である一例を説明したが、これのみに限定されるものではない。
例えば、光学系２２０の種類を示す情報には、光学系２２０の光学特性を示す情報、および光学系２２０の機能を示す情報のうちのいずれかが含まれている形態でもよい。この場合、アダプター制御部３１０は、入力部３６０から入力された光学系の種類を示す情報に基づいて、ボディ送信用レンズ情報を生成（準備）する。また、光学系２２０の種類を示す情報には、光学系の焦点距離を示す情報（焦点距離情報）および開放Ｆ値を示す情報（開放絞り値）のうちのいずれかが含まれている形態でもよい。
【０１５０】
以上のように、本実施形態によれば、レンズ交換式のカメラシステムにおいて、様々な種類の光学系を適切に機能させることができる。
【０１５１】
なお、図３、および図８に示す、交換レンズ２００（２００Ａ）とカメラボディ１００とがアダプター３００のみを介して接続されている構成に限られるものではない。
例えば、交換レンズ２００（２００Ａ）とカメラボディ１００とが、アダプター３００と他の変換アダプター（テレコンバータ等）とを介して交換レンズ２００（２００Ａ）に接続されている構成としてもよい。
また、上記実施形態のアダプター３００は、光学系を備えていない構成であるが、光学系を備えている構成としてもよい。
【０１５２】
なお、図３、および図８におけるカメラ制御部１１０、レンズ制御部２１０、またはアダプター制御部３１０は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０のそれぞれの機能を実現するためのプログラムをメモリーにロードして実行することによりその機能を実現させるものであってもよい。
【０１５３】
また、上述のカメラ制御部１１０、レンズ制御部２１０、またはアダプター制御部３１０それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０１５４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１５５】
以上、本発明の実施形態について図面を参照して詳述してきたが、具体的な構成はこの実施形態に限られるものではなく、本発明の要旨を逸脱しない範囲の設計等も含まれる。
【符号の説明】
【０１５６】
１，１Ａ  カメラシステム、１００  カメラボディ、１１０  カメラ制御部、２００，２００Ａ  交換レンズ、２１０  レンズ制御部、２２０  光学系、２３０  光学系駆動部、２５１  絞り機構（絞り）、３００  アダプター、３０１  第１マウント（第１マウント部）、３０２  第２マウント（第２マウント部）、３１０  アダプター制御部、３１２  第１アダプター通信部、３２０  アダプター電源部、３３０  絞り連動レバー駆動部、３４０  記憶部、３５０  絞り連動レバー、３６０  入力部、３６１  操作部
【図２】
2013042736.tif 000003
【図３】
2013042736.tif 000004
【図４】
2013042736.tif 000005
【図５】
2013042736.tif 000006
【図６】
2013042736.tif 000007
【図７】
2013042736.tif 000008
【図８】
2013042736.tif 000009
【図１】
2013042736.tif 000010
【国際調査報告】
2013042736.tif 000011
2013042736.tif 000012